(57)【特許請求の範囲】
【請求項１】
灰皿が設置されているパチンコ機に用いられるものであって、
煙草が置かれることにより該煙草を前記灰皿の上部に位置させるための置部
を備え、
前記灰皿が、前記パチンコ機の玉受け皿に収納された位置と、吸殻を回収するために該玉受け皿から突出した位置との間で、回動可能に前記玉受け皿に取り付けられたものであり、
前記置部が、
前記玉受け皿から延設されて、該玉受け皿に収納された位置にある灰皿の上方に位置するもの
であることを特徴とする煙草置き台。
【請求項２】
灰皿が設置されている遊技機に用いられるものであって、
煙草が置かれることにより該煙草を前記灰皿の上部に位置させるための置部
を備え、
前記灰皿が、前記遊技機に収納された位置と、吸殻を回収するために該遊技機から突出した位置との間で、回動可能に前記遊技機に取り付けられたものであり、
前記置部が、
前記遊技機から延設されて、該収納された位置にある灰皿の上方に位置するもの
であることを特徴とする煙草置き台。
【請求項３】
請求項１又は２に記載の煙草置き台において、
煙草を嵌め込むための嵌め込み部
を備えたことを特徴とする煙草置き台。
【請求項４】
灰皿が、当該パチンコ機の玉受け皿に対し、上下方向を軸とし、該玉受け皿に収納された位置と、吸殻を回収するために該玉受け皿から突出した位置との間で回動可能に取り付けられ、
当該玉受け皿から延設されて、該玉受け皿に収納された位置にある灰皿の上方に位置して煙草が置かれるための置部
を備えたことを特徴とするパチンコ機の玉受け皿。
【請求項５】
請求項４に記載のパチンコ機の玉受け皿において、
当該玉受け皿から突出した位置において、前記灰皿の、吸殻を入れる部分が略水平方向を軸として、回転可能に構成されている
ことを特徴とするパチンコ機の玉受け皿。
【請求項６】
請求項４または５に記載の玉受け皿を備えたことを特徴とするパチンコ機。
【発明の詳細な説明】
【０００１】
【発明の属する技術分野】
本発明は、パチンコ機等の遊技機に備えられた灰皿の清掃を能率的に行なうために開発された各種構成に関する。
【０００２】
【従来の技術】
通常のパチンコ機には、上皿から溢れたパチンコ球が流れ込む箇所である下皿に灰皿が設けられている。この灰皿は左右方向を軸として回転可能にされており、この回転を行なうことにより灰皿に溜まった吸殻を除去する。なお、この作業（以下、清掃とも言う）は、パチンコ機で遊技が行なわれている最中でも随時行なわれている。
【０００３】
【発明が解決しようとする課題】
しかしながら、上記従来技術によれば、次のような問題点がある。すなわち、遊技者は火のついた煙草を灰皿に置きっぱなしにすることがある。これでは、灰皿を清掃する都度、遊技者にその煙草をどけてもらう必要があり、清掃作業の非能率化を招く。また清掃者・遊技者の双方にとって煩わしい。
【０００４】
また遊技者が遊技に夢中になると、灰皿に置かれた煙草がどんどん短くなり、灰皿の外に落ちてしまうこともある。こうした課題は、パチンコ機以外の遊技機においても発生する。
本発明はかかる課題に鑑みなされたもので、遊技機に備えられた灰皿の清掃の能率化を行なうことを目的としている。
【０００５】
【課題を解決するための手段】
かかる課題を解決するためになされた本発明の請求項１に記載の煙草置き台は、灰皿が設置されているパチンコ機に用いられるものであって、
煙草が置かれることにより該煙草を前記灰皿の上部に位置させるための置部
を備え、
前記灰皿が、前記パチンコ機の玉受け皿に収納された位置と、吸殻を回収するために該玉受け皿から突出した位置との間で、回動可能に前記玉受け皿に取り付けられたものであり、
前記置部が、
前記玉受け皿から延設されて、該玉受け皿に収納された位置にある灰皿の上方に位置するもの
であることを特徴とする。
【０００６】
請求項２に記載の本発明は、灰皿が設置されている遊技機に用いられるものであって、
煙草が置かれることにより該煙草を前記灰皿の上部に位置させるための置部
を備え、
前記灰皿が、前記遊技機に収納された位置と、吸殻を回収するために該遊技機から突出した位置との間で、回動可能に前記遊技機に取り付けられたものであり、
前記置部が、
前記遊技機から延設されて、該収納された位置にある灰皿の上方に位置するもの
であることを特徴とする。
請求項３に記載の本発明は、請求項１又は２に記載の煙草置き台において、
煙草を嵌め込むための嵌め込み部を備えたことを特徴とする。
【０００８】
請求項４に記載の本発明は、灰皿が、当該パチンコ機の玉受け皿に対し、上下方向を軸とし、該玉受け皿に収納された位置と、吸殻を回収するために該玉受け皿から突出した位置との間で回動可能に取り付けられ、
当該玉受け皿から延設されて、該玉受け皿に収納された位置にある灰皿の上方に位置して煙草が置かれるための置部を備えたことを特徴とするパチンコ機の玉受け皿をその要旨とする。
【０００９】
請求項５に記載の本発明は、請求項４に記載のパチンコ機の玉受け皿において、
当該玉受け皿から突出した位置において、前記灰皿の、吸殻を入れる部分が略水平方向を軸として、回転可能に構成されていることを特徴とする。
【００１０】
請求項６に記載の本発明は、請求項４または５に記載の玉受け皿を備えたことを特徴とするパチンコ機をその要旨とする。
【００１１】
【発明の実施の形態】
請求項１に記載の煙草置き台は、置部を備えたことにより、パチンコ機の備える灰皿の上方に煙草を置くことを可能にしたものである。こうすると、灰皿を清掃する都度、煙草を遊技者にどけてもらう必要がないので、灰皿の清掃を能率よく行なうことができる。また、清掃者・遊技者の双方とも煩わしい思いをせずに済む。
そしてこのパチンコ機では、灰皿が回動可能に玉受け皿に取り付けられており、これにより玉受け皿に収納された位置と、玉受け皿から突出した位置との間を回動する。なお、玉受け皿から突出した位置で、吸殻の回収が行なわれる。
そして置部は、玉受け皿から延設されており、玉受け皿に収納された位置にある灰皿の上方に位置するものとなっている。
こうすると、煙草置き台が玉受け皿と一体感のあるものとなるので、玉受け皿が美観的に優れたものとなる。
請求項２に記載の煙草置き台は、置部を備えたことにより、遊技機の備える灰皿の上方に煙草を置くことを可能にしたものである。こうすると、灰皿を清掃する都度、煙草を遊技者にどけてもらう必要がないので、灰皿の清掃を能率よく行なうことができる。また、清掃者・遊技者の双方とも煩わしい思いをせずに済む。
そしてこの遊技機では、灰皿が回動可能に取り付けられており、これにより遊技機に収納された位置と、遊技機から突出した位置との間を回動する。
そして置部は、遊技機から延設されており、玉受け皿に収納された位置にある灰皿の上方に位置するものとなっている。
【００１２】
また請求項３に記載の煙草置き台は、煙草を嵌め込むための嵌め込み部を備えている。この煙草置き台によれば、置部に置かれた煙草が短くなっても、煙草が煙草置き台から落下する心配がない。
【００１５】
請求項４に記載のパチンコ機の玉受け皿は、このような玉受け皿および煙草置き台を備えたものである。このパチンコ機の玉受け皿において、灰皿を玉受け皿から突出させると、灰皿の、吸殻を入れる部分（以下、吸殻入れと言う）を、略水平方向を軸として回転可能に構成したのが請求項５に記載の玉受け皿である。こうすると、灰皿に溜まった吸殻を簡単に回収することができる。なお、この吸殻入れは、玉受け皿から灰皿を突出させなくとも回転できるようにしても良い。また灰皿全体を略水平方向を軸として回転可能に構成してもよい。前後するが、請求項１に記載した煙草置き台を適用する玉受け皿を、このように吸殻入れ（または灰皿全体）が略水平方向を軸として回転させることも可能に構成された玉受け皿に適用しても良い。
【００１６】
また請求項６に記載のパチンコ機は、請求項４または５に記載の玉受け皿を備えたものとなっているので、それぞれ美観的に優れた玉受け皿およびパチンコ機となる。
【００１７】
【実施例】
以下に本発明の実施例を図面と共に説明する。
まず、図１は本発明を適用したパチンコ機２の下部を示す正面図である。パチンコ機２では、左右方向を軸として回転可能にされた灰皿８が下皿６に設けられており、灰皿８の上方に煙草置き台１０が取り付けられている。煙草置き台１０はブラケット１２と本体１４とからなっている。なお、下皿６が本発明の玉受け皿に相当する。
【００１８】
煙草置き台１０のみを取り出したのが図２である。図２（ａ）が本体１４の平面図、図２（ｂ）が本体１４の側面図、図２（ｃ）が本体１４の正面図（図１と同方向から見た図）であり、図２（ｄ）がブラケット１２の側面図、図２（ｅ）がブラケット１２の正面図である。なお、図２（ｂ）のみ、本体１４に置かれた煙草１６も示した。
【００１９】
本体１４は、針金を折り曲げ加工したフレーム１８と、フレーム１８に溶接された板状の置部２０とからなっている。フレーム１８は、パチンコ機２側となる部分が９０度に曲げられた取付部２２となっており、この取付部２２をブラケット１２に差し込むことによりパチンコ機２に取り付けられる。取付部２２と反対側は、煙草１６のフィルタ部１６ａを嵌め込むための嵌め込み部２４（図２（ｂ）でヘ字型をした部分）となっている。なお、煙草１６を嵌め込み部２４に嵌め込むのを煩わしいと感じた遊技者は、煙草１６が灰皿８から落ちないように気を付けさえすれば、煙草１６を嵌め込み部２４に嵌め込まず、置部２０に置くだけにしてもよい。
【００２０】
一方、ブラケット１２は、正面から見ると図２（ｅ）に示すようなコ字型に成形された合成樹脂性の部材である。そのパチンコ機２側の側面には両面テープ２６が取り付けられており、これにてパチンコ機２に貼付される。また本図の上面には２個の穴２８が形成されており、ここに本体１４の取付部２２が差し込まれる。
【００２１】
このような煙草置き台１０によれば、煙草１６が灰皿８ではなく本体１４に載せてあるので、清掃者は遊技者に断りなく灰皿８を回転させて煙草１６の吸殻を取り除くことができる。また、嵌め込み部２４に嵌め込まれているため、火のついた煙草１６が短くなっても本体１４から脱落することがない。
【００２２】
そして両面テープ２６にてブラケット１２がパチンコ機２に装着されるので、灰皿８の上方にブラケット１２の装着スペースがあるパチンコ機２であれば、どんなパチンコ機２であっても煙草置き台１０を適用することができる。
以上、本発明を適用した実施例として、煙草置き台１０について説明してきたが、本発明はこの実施例に何等限定されるものではなく様々な態様で実施しうる。
【００２３】
例えば、煙草置き台１０をパチンコ機２以外の遊技機（例：回胴式遊技機）に適用してもよい。また図３のようにしても良い。この実施例では、下皿６に穴３０を２個、前後方向に並べて形成し、本体１４をその穴３０に差し込むことにより本体１４を横向きにしたものである。穴３０を並べる方向やブラケット１２の形状を変更して、本体１４を斜め方向に設置したり図３とは逆方向に置くようにしたりしても良いが、何れの方向にするにせよ、置部２０に置かれた煙草１６が灰皿８の上方に位置するようにする。また、上皿４に灰皿８が付いている場合は、上皿４に煙草置き台１０を付けることになる。この場合は上皿４が本発明の玉受け皿に相当する。また上皿４と下皿６が一体に構成されたパチンコ機２の場合には、その一体に構成された皿に煙草置き台１０を付けることになり、その一体に構成された皿が本発明の玉受け皿に相当する。
【００２４】
また、以上の実施例ではいずれも、既存のパチンコ機２にブラケット１２を付けたり灰皿８に追加工をしたりすることにより前述の課題を解決したが、はじめからパチンコ機２と一体に構成しても良い。この例を図４に示す。図４は、そのように構成された下皿６’の平面図である。この態様では、灰皿８’が、上下方向の軸Ａの回りに回動可能にされており、その灰皿８’に覆い被さるように本体１４’が延設されている。本体１４’は図４（ｂ）によく示されているように略三角形の部材であり、半円筒状の窪み３２が２本形成されている。これらの窪み３２が置部に相当する。また、灰皿８’は枠部３４と吸殻入れ３６とを主要部として構成されており、更に吸殻入れ３６は、略水平方向の軸Ｂの回りに枠部３４に対して回動可能に取り付けられている。
【００２５】
この灰皿８’および本体１４’によっても、煙草１６が灰皿８’ではなく本体１４’に載せてあるので、清掃者は次のようにすることにより遊技者に断りなく吸殻４０を取り除くことができる。すなわち、図４（ａ）の状態から灰皿８’を軸Ａの回りに回転させて図２（ｂ）に２点鎖線で示す位置まで引っ張り出す。そして軸Ｂの回りに吸殻入れ３６を回転させて吸殻４０を回収する。図４（ｂ）および図４（ｃ）には示されていないが、この間、窪み３２に載せられた煙草１６には全く影響がない。また、図１および図３に示した態様では、煙草置き台１０があるにも関わらず遊技者が灰皿に直接煙草１６を置く虞があったが、図４の態様では従来の灰皿に極めて近い箇所に煙草１６を置かせるので、清掃の能率化を着実に実現することができる。また図１および図３に示した態様に比べ、下皿６’および煙草置き台の一体感があるので、美観的に優れたものとなる。
【図面の簡単な説明】
【図１】  本発明を適用したパチンコ機２の下部の正面図である。
【図２】  煙草置き台１０の説明図である。
【図３】  本発明の第２の実施例を示す説明図である。
【図４】  本発明の第３の実施例を示す説明図である。
【符号の説明】
２…パチンコ機        ６、６’…下皿
８、８’…灰皿      １０…煙草置き台
１２…ブラケット      １４、１４’…本体
１６…煙草            １６ａ…フィルタ部
１８…フレーム        ２０…置部
２２…取付部          ２４…嵌め込み部
２６…両面テープ      ２８、３０…穴
３２…窪み（置部）    ３４…枠部
３６…吸殻入れ        ４０…吸殻
【図１】
0004496604.tif 000002
【図２】
0004496604.tif 000003
【図３】
0004496604.tif 000004
【図４】
0004496604.tif 000005